(57)【要約】【課題】浴室のリフォームの際、床梁材を撤去しなくても構築可能な浴室排水構造を提供する。【解決手段】浴室の旧浴槽及び旧洗い場パンを撤去する一方、床梁１１及び床小梁１５等の床梁材を残置する。新たな浴槽側の床梁材間空間１０ａに浴槽排水桝４４を設置し、浴槽排水管４５を浴槽排水桝４４から新たな洗い場側の床下空間１０ｄへ向けて配管する。新たな洗い場側の床梁材間空間１０ｂには洗い場排水桝５４を設置し、洗い場排水管５５を床下空間１０ｄにおいて浴槽排水管４５と合流させる。床梁材１１，１５上に新たな浴槽２及び洗い場パン３０を設置し、浴槽排水口４１ａ，４２ａを浴槽封水トラップ４３に連ね、洗い場排水口５１ａを洗い場封水トラップ５３に連ねる。【選択図】図２
2019157454.tif 000002
【特許請求の範囲】
【請求項１】
浴槽及び洗い場パンが複数の床梁材によって支持された浴室の排水構造であって、
前記浴槽の排水口に連なる浴槽封水トラップを有して、浴槽側の床梁材どうし間の浴槽側床梁材間空間に配置された浴槽排水桝と、
前記浴槽封水桝に連なるとともに洗い場側の床下空間へ向けて配管された浴槽排水管と、
前記洗い場パンの排水口に連なる洗い場封水トラップを有して、前記洗い場側の床梁材どうし間の洗い場側床梁材間空間に配置された洗い場排水桝と、
前記洗い場封水桝に連なるとともに前記床下空間において前記浴槽排水管と合流された洗い場排水管と、
を備えたことを特徴とする浴室の排水構造。
【請求項２】
前記浴槽排水桝が前記洗い場パンの下側に張り出す張り出し部を有し、前記張り出し部に前記浴槽排水管が接続されていることを特徴とする請求項１に記載の排水構造。
【請求項３】
浴室をリフォームする方法であって、
前記浴室の旧浴槽及び旧洗い場パンを撤去する一方、これら旧浴槽及び旧洗い場パンを支えていた床梁材を残置し、
新たな浴槽側の床梁材どうし間の浴槽側床梁材間空間に浴槽排水桝を設置し、かつ前記浴槽排水桝から延びる浴槽排水管を新たな洗い場側の床下空間へ向けて配管し、
かつ前記新たな洗い場側の床梁材どうし間の洗い場側床梁材間空間に洗い場排水桝を設置し、かつ前記洗い場排水桝から延びる洗い場排水管を前記床下空間において前記浴槽排水管と合流させ、
前記床梁材上に前記新たな浴槽及び新たな洗い場パンを設置し、かつ前記新たな浴槽の排水口を前記浴槽排水桝の浴槽封水トラップに連ね、前記新たな洗い場パンの排水口を前記洗い場排水桝の洗い場封水トラップに連ねることを特徴とする浴室リフォーム方法。
【発明の詳細な説明】
【技術分野】
【０００１】
本発明は、浴室の排水構造及び浴室リフォーム方法に関し、特にリフォーム前の床梁及び床小梁などの床梁材をそのまま用いてリフォームされた浴室の洗い場パンに接続される排水構造及び浴室リフォーム方法に関する。
【背景技術】
【０００２】
ユニットバスなどの浴室をリフォームする際、浴槽や洗い場の広さや高さ、排水口の位置などがリフォーム前とは変更されることがある（特許文献１等参照）。例えば脱衣室と浴室との間の段差を無くしてバリアフリーを実現するために、洗い場床面及び浴槽を低くする傾向がある。また、旧来の浴槽の排水口と洗い場の排水口は、それぞれ独立しており離間して配置されていたが、最近では互いに近くに配置されて各々の排水口直下のトラップを経てすぐに合流される傾向にある。
【先行技術文献】
【特許文献】
【０００３】
【特許文献１】特開２０１７−０４４０５５号公報
【発明の概要】
【発明が解決しようとする課題】
【０００４】
リフォームの際、浴槽及び洗い場パンを支持する床梁、床小梁などの床梁材をも撤去して設置し直すことにすると、大掛かりな工事になり、騒音が発生し、工期が長くなり、費用が嵩む。一方、リフォーム前の床梁材を残置して、その上に新たな浴槽及び洗い場パンを設置することにすると、浴槽の下側の床梁材が浴槽排水管を配管するのに障害となることがある。
本発明は、かかる事情に鑑み、浴室のリフォームの際、床梁材を撤去しなくても構築可能な浴室排水構造を提供することを目的とする。
【課題を解決するための手段】
【０００５】
前記課題を解決するために、本発明構造は、浴槽及び洗い場パンが複数の床梁材によって支持された浴室の排水構造であって、
前記浴槽の排水口に連なる浴槽封水トラップを有して、浴槽側の床梁材どうし間の浴槽側床梁材間空間に配置された浴槽排水桝と、
前記浴槽封水桝に連なるとともに洗い場側の床下空間へ向けて配管された浴槽排水管と、
前記洗い場パンの排水口に連なる洗い場封水トラップを有して、前記洗い場側の床梁材どうし間の洗い場側床梁材間空間に配置された洗い場排水桝と、
前記洗い場封水桝に連なるとともに前記床下空間において前記浴槽排水管と合流された洗い場排水管と、
を備えたことを特徴とする。
【０００６】
当該排水構造はリフォーム後の浴室の排水構造として適している。リフォーム等の際は、好ましくはリフォーム前の床梁材を残置する。浴槽の下側の床梁材などが浴槽排水管を配管するのに障害となる場合、浴槽排水管を洗い場の下側へ延ばす。これによって、浴槽排水管が床梁材などと干渉するのを回避できる。更に、浴槽排水管と洗い場排水管の合流部を洗い場の下側の床下空間に配置することによって、合流部までの各排水管の配管経路を床梁材などの障害物の配置に応じて個別に設定できる。
リフォーム前の床梁材を撤去せずにそのまま用いることによって、施工を簡素化でき、騒音の発生を抑制でき、工期を短縮でき、リフォーム費用を低減できる。
【０００７】
前記浴槽排水桝が前記洗い場パンの下側に張り出す張り出し部を有し、前記張り出し部に前記浴槽排水管が接続されていることが好ましい。
これによって、浴槽排水桝と浴槽排水管との接続部を洗い場パン側に配置でき、浴槽排水管のほぼ全体を洗い場パンの下側に配管できる。
【０００８】
本発明方法は、浴室をリフォームする方法であって、
前記浴室の旧浴槽及び旧洗い場パンを撤去する一方、これら旧浴槽及び旧洗い場パンを支えていた床梁材を残置し、
新たな浴槽側の床梁材どうし間の浴槽側床梁材間空間に浴槽排水桝を設置し、かつ前記浴槽排水桝から延びる浴槽排水管を新たな洗い場側の床下空間へ向けて配管し、
かつ前記新たな洗い場側の床梁材どうし間の洗い場側床梁材間空間に洗い場排水桝を設置し、かつ前記洗い場排水桝から延びる洗い場排水管を前記床下空間において前記浴槽排水管と合流させ、
前記床梁材上に前記新たな浴槽及び新たな洗い場パンを設置し、かつ前記新たな浴槽の排水口を前記浴槽排水桝の浴槽封水トラップに連ね、前記新たな洗い場パンの排水口を前記洗い場排水桝の洗い場封水トラップに連ねることを特徴とする。
【発明の効果】
【０００９】
本発明によれば、浴室のリフォームの際、リフォーム前の床梁材を撤去せずにそのまま用いるとともに、浴室の排水構造を前記床梁材と干渉しないように構築することができる。
【図面の簡単な説明】
【００１０】
【図１】図１は、本発明の一実施形態に係る浴室をリフォーム後の状態で示す、床梁材の上面付近の高さにおける平面断面図である。
【図２】図２は、図１のＩＩ−ＩＩ線に沿う前記浴室の側面断面図である。
【図３】図３は、図１のＩＩＩ−ＩＩＩ線に沿う前記浴室の側面断面図である。
【図４】図４は、浴室をリフォームする建物の変形例を示し、複数の建物ユニットを含むユニット建物の斜視図である。
【発明を実施するための形態】
【００１１】
以下、本発明の一実施形態を図面にしたがって説明する。
図１〜図３は、例えば戸建て住宅におけるリフォーム後の浴室１を示したものである。浴室１は、浴槽２と洗い場３を備えたユニットバスになっており、床梁構造１０によって支持されている。床梁構造１０は、リフォーム前のものが撤去されずにそのまま用いられている。床梁構造１０は、床梁材として、浴室１の周囲の基礎（図示せず）上に縦横に架け渡された縦横４つの床梁１１と、これら床梁１１の内側に水平に架け渡された複数の床小梁１５とを含む。これら床梁材１１，１５は、Ｈ鋼などの鉄骨によって構成されている。床梁構造１０の内部には互いに並行及び／又は交差する床梁材１１，１５によって床梁材間空間１０ａ，１０ｂ，１０ｃ等が形成されている。床梁構造１０の下方には床下空間１０ｄが形成されている。
なお、リフォームによって、浴槽２や洗い場３の広さや高さ、後記排水口４１ａ，４２ａ，５１ａの位置などがリフォーム前とは変わっている。
【００１２】
図４に示すように、浴室１の床梁構造１０が、工場製作の建物ユニット５の床部分によって構成されていてもよい。建物ユニット５は、床部分の床梁１１及び床小梁１５に加えて、柱５ｃ及び天井梁５ｄからなる直方体形状のボックスラーメン構造の鉄骨フレーム５ｆを含む。複数の建物ユニット５，５Ｂ，…が組み合わさってユニット建物５Ｘが構築されている。１つの建物ユニット５の長手方向の一部分に浴室１が設けられている。当該建物ユニット５の長手方向の残り部分５ｅは、浴室１以外の室として用いられている。なお、図４においては、浴室１の床小梁１５などの図示が簡略化されている。また、残り部分５ｅの床小梁などの図示は省略されている。
建物ユニット５の鉄骨フレーム５ｆは、リフォーム後においてもリフォーム前のものが撤去されずにそのまま用いられていることが好ましい。
【００１３】
図２に示すように、リフォーム後の新たな浴槽２は、図において二点鎖線によって示す浴槽本体２０と、浴槽受けパン２２を含む。浴槽受けパン２２は、発泡樹脂からなる浴槽受けパン本体と、その表側面を覆う樹脂製の表層（図示省略）とを含む。浴槽受けパン２２が、脚部２６を介して床梁材１１，１５に載せられて支持されている。浴槽受けパン２２上に浴槽本体２０が設置されている。浴槽２と床梁材１１，１５との間には、脚部２６の高さ分の浴槽下隙間１２が形成されている。
当該浴室１の場合、浴槽２と床梁材１１，１５との間の浴槽下隙間１２や浴槽２の下側における床下空間１０ｄが狭隘であったり障害物（図示省略）があったりして、排水管を配管しにくくなっている。
【００１４】
洗い場３にはリフォーム後の新たな洗い場パン３０が設置されている。詳細な図示は省略するが、洗い場パン３０は、発泡樹脂からなる洗い場パン本体と、該洗い場パン本体を上下から挟むように被さる金属製の上側補強板及び下側補強板を含む。洗い場パン３０における浴槽２側の端部には、立ち上がり部３５（土手）が設けられている。
【００１５】
図２に示すように、洗い場パン３０は、脚部３６を介して床梁材１１，１５に載せられて支持されている。洗い場パン３０と床梁材１１，１５との間には、脚部３６の高さ分の洗い場下隙間１３が形成されている。洗い場下隙間１３は、浴槽下隙間１２より上下に広い。
【００１６】
図１に示すように、浴室１の底部には排水構造４が設けられている。排水構造４は、浴槽排水路４０と、洗い場排水路５０を含む。
浴槽排水路４０は、排水口部材４１，４２と、浴槽排水桝４４と、浴槽排水管４５を含む。排水口部材４１，４２は、概略筒状に形成され、浴槽２における幅方向（図１において上下）の中央部の洗い場３側（図１において右側）の部分に近接して配置されている。図２に示すように、浴槽本体排水口部材４１の上端部が、浴槽本体２０の底部に開口され、浴槽本体排水口４１ａ（浴槽排水口）を構成している。浴槽受け排水口部材４２の上端部が、浴槽受けパン２２の底部に開口され、浴槽受け排水口４２ａ（浴槽排水口）を構成している。
【００１７】
図２に示すように、浴槽排水桝４４は、容器状に形成され、床梁構造１０における浴槽側の床梁材間空間１０ａに上方から挿し入れられるようにして配置されている。なお、浴槽排水桝４４が床梁材間空間１０ａから床下空間１０ｄへ突出されていてもよい。浴槽排水桝４４内に排水口部材４１，４２が挿し入れられている。排水口部材４１，４２と浴槽排水桝４４とによって浴槽封水トラップ４３が形成されている。排水口４１ａ，４２ａが、浴槽封水トラップ４３に連なり、更には浴槽排水桝４４の内室に連なっている。
【００１８】
浴槽排水桝４４は、浴槽２の下側から洗い場下隙間１３へ張り出している。該張り出し部４４ｂから浴槽排水管４５が延びている。浴槽排水管４５は、ほぼ水平な横行管４６と、鉛直な通り抜け管４７を含む。横行管４６は、張り出し部４４ｂに接続されるとともに、洗い場下隙間１３内を床小梁１５Ｃに沿って延びる管部分４６ｃと、その先端から直角に折れて床梁構造１０との干渉を避ける干渉回避位置１４へ向かう管部分４６ｄを含む。床小梁１５Ｃは、浴槽２と洗い場３の境１ｃ付近に配置され、浴室１の幅方向へ延びている。干渉回避位置１４は、床梁構造１０における洗い場側の床梁材間空間１０ｃの上方に位置している。
なお、横行管４６が、浴室１の幅方向に対して斜めに張り出し部４４ｂから干渉回避位置１４へ延びていてもよい。
【００１９】
図３に示すように、干渉回避位置１４における横行管４６の下流端に通り抜け管４７が連なっている。通り抜け管４７は、横行管４６から洗い場側床梁材間空間１０ｃを通り抜けて床下空間１０ｄへ延びている。
【００２０】
図１及び図２に示すように、洗い場排水路５０は、洗い場排水口部材５１と、洗い場排水桝５４と、洗い場排水管５５を含む。洗い場パン３０における立ち上がり部３５の近傍部に洗い場排水口部材５１が設けられている。洗い場排水口部材５１の上端部が、洗い場パン３０の上面（洗い場床面）に開口されることによって洗い場排水口５１ａを構成している。
図１に示すように、浴槽排水口４１ａ，４２ａと洗い場排水口５１ａとが、浴槽２と洗い場３の境１ｃを挟んで互いに近接するように配置されている。
【００２１】
洗い場排水桝５４は、洗い場下隙間１３からその直下に続く洗い場側床梁材間空間１０ｂにわたって配置されている。なお、洗い場排水桝５４が更に床下空間１０ｄへ突出されていてもよい。
洗い場排水口部材５１の下端部が洗い場排水桝５４に挿し入れられている。洗い場排水口部材５１と洗い場排水桝５４とによって封水トラップ５３が形成されている。封水トラップ５３が、洗い場排水口部材５１の内部を介して洗い場排水口５１ａに連なっている。
洗い場排水桝５４自体がＳ字状に形成されることによって封水トラップ５３を構成していてもよい。
【００２２】
洗い場排水桝５４に洗い場排水管５５が連なっている。洗い場排水管５５は、垂直管部５５ａと、水平管部５５ｂを含む。垂直管部５５ａが、洗い場排水桝５４から床下空間１０ｄへ延びている。垂直管部５５ａの下流端に水平管部５５ｂが連なっている。水平管部５５ｂは、床下空間１０ｄ内にほぼ水平に配管されている。水平管部５５ｂに通り抜け管４７が合流され、合流部５５ｃが構成されている。これによって、床下空間１０ｄにおいて浴槽排水路４０と洗い場排水路５０とが合流されている。
合流部５５ｃから接続管５８が下水管（図示省略）へ延びている。
【００２３】
図１に示すように、浴室をリフォームする際は、旧浴槽及び旧洗い場（共に図示せず）を撤去する。一方、これら旧浴槽及び旧洗い場を支えていた床梁構造１０の床梁材１１，１５は撤去せずにそのまま残置する。前記ユニット建物５Ｘ（図４）においては、床梁材１１，１５を含む鉄骨フレーム５ｆの全体を撤去せずにそのまま用いることが好ましい。
【００２４】
床梁構造１０の床梁材１１，１５に沿って排水構造４を設ける。
詳しくは、排水構造４を構築する際は、浴槽排水桝４４を浴槽側床梁材間空間１０ａに設置する。洗い場側の床梁構造１０上には、横行管４６を浴槽排水桝４４から延びるように配管する。かつ通り抜け管４７を横行管４６から床下空間１０ｄへ抜けるように配管する。
また、洗い場排水桝５４を洗い場側床梁材間空間１０ｂに設置する。かつ洗い場排水管５５を排水桝５４から床下空間１０ｄへ配管し、該洗い場排水管５５を通り抜け管４７と接続することによって、浴槽排水路４０と洗い場排水路５０とを合流させる。かつ、合流部５５から延びる接続管５８を下水管（図示省略）に接続する。
【００２５】
さらに、床梁構造１０上に新たな浴槽２及び新たな洗い場パン３０を設置する。浴槽２の排水口部材４１，４２を浴槽排水桝４４に接続し、排水口４１ａ，４２ａを浴槽封水トラップ４３に連ねる。また、洗い場パン３０の排水口部材５１を洗い場排水桝５４に接続し、洗い場排水口５１ａを洗い場排水トラップ５３に連ねる。
【００２６】
当該リフォーム方法によれば、浴槽下隙間１２や浴槽２の下側における床下空間１０ｄが狭隘であったり障害物があったりして、浴槽２の下側には浴槽排水路４０を配管するのに支障がある場合、浴槽排水路４０を洗い場３側へ延ばすことによって、浴槽排水路４０が床梁構造１０と干渉するのを回避できる。更に床梁構造１０の配置に応じて、浴槽排水路４０と洗い場排水路５０の配管経路を互いに別々に設定できる。
これによって、旧浴室の床梁材１１，１５を撤去しなくても、排水構造４を構築することができる。この結果、リフォーム作業を簡易化でき、工期を短くでき、費用を低減できる。
排水桝４４，５４をそれぞれ床梁材間空間１０ａ，１０ｂに配置することによって排水桝４４，５４の深さ（高さ）を大きくでき、封水トラップ４３，５３の封水高さを確保できる。また、排水桝４４，５４をある程度の容量ないしは流路断面積に形成することによって、浴槽２及び洗い場３からの排水能力を確保できる。
【００２７】
本発明は、前記実施形態に限定されるものではなく、その趣旨に反しない限りにおいて種々の改変をなすことができる。
例えば、浴槽排水桝４４が張り出し部４４ｂを有していなくてもよい。浴槽排水管４５が、浴槽側床梁材間空間１０ａから洗い場３の下側へ延びていてもよい。
浴槽封水トラップ４３をＳ字トラップ等の下方へ抜ける形式のトラップにしてもよい。
洗い場排水桝５４と通り抜け管４７が、互いに同じ洗い場側床梁材間空間に配置されていてもよい。
リフォームの際、床梁構造１０の必ずしも全部の床梁材１１，１５を残置する必要はない。劣化・損傷が進んだ床梁材１１，１５については撤去して取り替えることにしてもよい。
本排水構造は、リフォーム後の浴室だけでなく新築時の浴室の排水構造としても適用可能である。
【産業上の利用可能性】
【００２８】
本発明は、例えば戸建て住宅におけるユニットバスのリフォームに適用可能である。
【符号の説明】
【００２９】
１      浴室
２      浴槽
３      洗い場
４      排水構造
１０    床梁構造
１０ａ  浴槽側床梁材間空間
１０ｂ，１０ｃ  洗い場側床梁材間空間
１０ｄ  床下空間
１１    床梁（床梁材）
１２    浴槽下隙間
１３    洗い場下隙間
１４    干渉回避位置
１５    床小梁（床梁材）
２０    浴槽本体
２２    浴槽受けパン
３０    洗い場パン
４１ａ  浴槽本体排水口（浴槽排水口）
４２ａ  浴槽受け排水口（浴槽排水口）
４０    浴槽排水路
４３    浴槽封水トラップ
４４    浴槽排水桝
４４ｂ  張り出し部
４５    浴槽排水管
４６    横行管
４７    通り抜け管
５０    洗い場排水路
５１ａ  洗い場排水口
５３    洗い場封水トラップ
５４    洗い場排水桝
５５    洗い場排水管
５５ｃ  合流部
【図１】
2019157454.tif 000003
【図２】
2019157454.tif 000004
【図３】
2019157454.tif 000005
【図４】
2019157454.tif 000006